(57)【要約】【課題】簡易に医療費の明細書を作成することが可能な医療費控除申請支援システム及び医療費控除申請支援プログラムを提供する。【解決手段】医療費控除申請支援システムは、無線タグを有する無線タグカードの情報を読み書きする病院端末リーダライタを備え、医療費明細を、病院端末リーダライタを介して無線タグカードに格納する病院端末と、無線タグカードの情報を読み書きする出力端末リーダライタを備え、病院端末によって格納された医療費明細を無線タグカードから読み出し、確定申告を行う者についての基本情報を無線タグカード又は入出力部から入力し、医療費明細から医療を受けた人毎に医療費控除金額を算出して、医療費の明細書を出力する出力端末と、を備える。【選択図】図１
2015032138.tif 000002
【特許請求の範囲】
【請求項１】
無線タグを有する無線タグカードの情報を読み書きする病院端末リーダライタを備え、医療費明細を、前記病院端末リーダライタを介して前記無線タグカードに格納する病院端末と、
前記無線タグカードの情報を読み書きする出力端末リーダライタを備え、前記病院端末によって格納された前記医療費明細を前記無線タグカードから読み出し、確定申告を行う者についての基本情報を前記無線タグカード又は入出力部から入力し、前記医療費明細から医療を受けた人毎に医療費控除金額を算出して、医療費の明細書を出力する出力端末と、
を備える医療費控除申請支援システム。
【請求項２】
前記無線タグカードは、
健康保険証を兼ねる請求項１記載の医療費控除申請支援システム。
【請求項３】
前記出力端末は、
前記無線タグカード又は入出力部から交通費を入力し、支払った医療費に加算する請求項２記載の医療費控除申請支援システム。
【請求項４】
前記出力端末は、
前記無線タグカード又は入出力部から補填される金額を入力し、この補填される金額を加味して医療費控除金額を算出する請求項３記載の医療費控除申請支援システム。
【請求項５】
演算装置を含む制御部と、情報を入出力する入出力部と、無線タグカードの情報を読み書きする出力端末リーダライタと、記録媒体に画像形成するプリンタと、を備える出力端末を、
無線タグを有する前記無線タグカードの情報を読み書きする病院端末リーダライタを備える病院端末によって前記病院端末リーダライタを介して格納された医療費明細を前記無線タグカードから読み出す読み出し手段と、
確定申告を行う者についての基本情報を前記無線タグカード又は入出力部から入力する入力手段と、
前記医療費明細から医療を受けた人毎に医療費控除金額を算出して、医療費の明細書を出力する出力手段と、
して機能させるための医療費控除申請支援プログラム。
【請求項６】
前記無線タグカードは、
健康保険証を兼ねる請求項５記載の医療費控除申請支援プログラム。
【発明の詳細な説明】
【技術分野】
【０００１】
本発明の実施形態は、医療費控除申請支援システム及び医療費控除申請支援プログラムに関する。
【背景技術】
【０００２】
所得税の確定申告の際に、医療費等を控除することが認められている。この際、確定申告をする者は確定申告書に医療費の明細書を添付しなければならない。
【０００３】
しかし、医療機関の領収書に基づいてこの書類を作成するのは、慣れない個人にとっては煩わしいものである。
【０００４】
加えて、医療費の領収書を紛失した場合、控除金額が減ってしまうと言ったことも起こりうる。
【０００５】
この点に関し、領収書データを格納する記憶部と、医療費の集計情報を表示する表示部と、を備えるＩＣカードが提案されている。
【０００６】
しかし、この技術によっても医療費の明細書を作成するのは手間がかかる。
【先行技術文献】
【特許文献】
【０００７】
【特許文献１】特開２０１０−２６９０６号公報
【発明の概要】
【発明が解決しようとする課題】
【０００８】
従って、簡易に医療費の明細書を作成することが可能な医療費控除申請支援システム及び医療費控除申請支援プログラムが求められている。
【課題を解決するための手段】
【０００９】
上記の課題を解決するために、本発明の一実施形態は、無線タグを有する無線タグカードの情報を読み書きする病院端末リーダライタを備え、医療費明細を、病院端末リーダライタを介して無線タグカードに格納する病院端末と、無線タグカードの情報を読み書きする出力端末リーダライタを備え、病院端末によって格納された医療費明細を無線タグカードから読み出し、確定申告を行う者についての基本情報を無線タグカード又は入出力部から入力し、医療費明細から医療を受けた人毎に医療費控除金額を算出して、医療費の明細書を出力する出力端末と、医療費控除申請支援システムを提供する。
【図面の簡単な説明】
【００１０】
【図１】医療費控除申請支援システムの構成を示す図である。
【図２】病院端末と、病院サーバと、の構成を示すブロック図である。
【図３】無線タグカードの無線タグの記憶部が格納する基本情報ファイルのデータ構成を示す図である。
【図４】医療費ファイルのデータ構成を示す図である。
【図５】出力端末が出力する医療費の明細書の例を示す図である。
【図６】出力端末の動作を示す図である。
【発明を実施するための形態】
【００１１】
以下、医療費控除申請支援システム及び医療費控除申請支援プログラムの一実施形態について、図面を用いて詳細に説明する。
【００１２】
本実施形態の医療費控除申請支援システムは、無線タグを有する無線タグカードの情報を読み書きする病院端末リーダライタを備え、医療費明細を、病院端末リーダライタを介して無線タグカードに格納する病院端末と、無線タグカードの情報を読み書きする出力端末リーダライタを備え、病院端末によって格納された医療費明細を無線タグカードから読み出し、確定申告を行う者についての基本情報を無線タグカード又は入出力部から入力し、医療費明細から医療を受けた人毎に医療費控除金額を算出して、医療費の明細書を出力する出力端末と、を備える。
【００１３】
図１は、本実施形態の医療費控除申請支援システムの構成を示す図である。図１に示すように、医療費控除申請支援システムは、病院に設置され、無線タグを有する無線タグカード１の情報を読み書きするリーダライタ１１Ａを備える病院端末１１と、病院端末１１に接続する病院サーバ１２と、保険会社又は自宅に設置され、無線タグカード１の情報を読み書きするリーダライタ２１Ａを備える利用者端末２１と、税務署又は自宅に設置され、無線タグカード１の情報を読み書きするリーダライタ３１Ａと、記録媒体に画像を形成するプリンタ３１Ｂと、を備える出力端末３１と、を備える。
【００１４】
利用者端末２１と、出力端末３１と、は同一の端末であってもよい。
【００１５】
利用者端末２１と、出力端末３１と、は演算装置を含む制御部と、メモリ、ハードディスクドライブなどの記憶装置を含む記憶部と、キーボード、ディスプレイなどの情報を入出力する入出力部と、を備える。利用者端末２１と、出力端末３１と、はいわゆるパソコンであってよい。
【００１６】
無線タグカード１は無線タグの記憶部に、確定申告者の基本情報を格納する基本情報ファイルと、支払った医療費に関する情報を格納する医療費ファイルと、を格納する。
【００１７】
無線タグカード１は健康保険書を兼ねることができる。この場合、無線タグカード１の無線タグの記憶部は健康保険書に関する情報を格納していてもよい。
【００１８】
無線タグカード１は、病院の診察券を兼ねることができる。この場合、無線タグカード１の無線タグの記憶部は診察券に記載すべき情報、乃至患者に関する情報を格納することができる。
【００１９】
無線タグカード１に設置される無線タグは、記憶部であるメモリと、メモリへのデータの読み書きを行う無線タグ制御部と、受信した変調電磁波の整流と安定化を行うことにより電源を供給する電源生成部と、信号を送受信するためのアンテナである無線タグアンテナと、無線タグ制御部から送出されたデータを変調して無線タグアンテナに送出する変調部と、受信した変調電磁波を復調して無線タグ制御部へ送出する復調部とを備える。
【００２０】
リーダライタ１１Ａ、２１Ａ、３１Ａは、無線タグとの通信を制御し、接続する各ハードウエアを制御するリーダ制御部と、リーダ制御部から送出された信号を変調する変調部と、変調された信号を増幅してサーキュレータを介してアンテナに送出する送信アンプと、各アンテナからサーキュレータを介して受信した変調電磁波を増幅する受信アンプと、受信した変調信号を復調する復調部と、を備える。リーダ制御部は、演算装置であるＣＰＵ（Ｃｅｎｔｒａｌ  ｐｒｏｃｅｓｓｉｎｇ  ｕｎｉｔ）及びデータを格納するメモリを備える。
【００２１】
病院端末１１と、利用者端末２１と、出力端末３１と、は記憶部に医療費控除申請支援プログラムを格納し、制御部は記憶部から医療費控除申請支援プログラムを読み出して実行する。
【００２２】
図２は、病院端末１１と、病院サーバ１２と、の構成を示すブロック図である。図２に示すように、病院端末１１は、演算装置であるＣＰＵを含む制御部１１１と、キーボード、マウス、ディスプレイ等の情報を入出力する入出力部１１２と、メモリ、ハードディスクドライブ等の記憶装置を含む記憶部１１３と、通信を行う通信部１１４と、リーダライタ１１Ａと、を備える。
【００２３】
記憶部１１３は、医療費に関する情報を一時的に格納するトランザクションファイル１１３Ａを格納する。
【００２４】
病院サーバ１２は、演算装置であるＣＰＵを含む制御部１２１と、キーボード、マウス、ディスプレイ等の情報を入出力する入出力部１２２と、メモリ、ハードディスクドライブ等の記憶装置を含む記憶部１２３と、通信を行う通信部１２４と、を備える。
【００２５】
記憶部１２３は、患者ごとの医療費に関する情報を含む患者に関する情報を被保険者に関する情報とともに格納する患者データベース１２３Ａ（以下、データベースをＤＢという。）を格納する。
【００２６】
図３は、無線タグカード１の無線タグの記憶部が格納する基本情報ファイルのデータ構成を示す例である。図３に示すように、基本情報ファイルは、確定申告をする者、乃至健康保険書の被保険者の住所を示す「住所」と、確定申告をする者、乃至健康保険書の被保険者の氏名を示す「氏名」と、確定申告をする者、乃至健康保険書の被保険者の「所得金額の合計額」と、を格納する。
【００２７】
各データの例は、住所が「○市△町７−５９−３」、氏名が「○山△男」、所得金額の合計額が「４９２，０００」である。
【００２８】
図４は、医療費ファイルのデータ構成を示す例である。図４に示すように、医療費ファイルは、医療費を支払った日付を示す「支払年月日」と、支払った医療費又は交通費を示す「支払った医療費、交通費」と、生命保険等から補てんされる金額を示す「補填される金額」と、医療を受けた者を示す「医療を受けた人」と、確定申告をする者、乃至健康保険書の被保険者と医療を受けた者との続柄を示す「続柄」と、治療の内容、医薬品の名称と、を示す「治療内容、医薬品名」と、医療機関等の所在地を示す「病院などの所在地」と、医療機関の名称を示す「病院等の名称」と、を格納する。
【００２９】
各データの例は、支払年月日が「２０１３／８／１５」、支払った医療費、交通費が「１２３，４５６」、補填される金額が「１２３，４５６」、医療を受けた人が「○山△男」、続柄が「本人」、治療内容、医薬品名「骨折治療・入院」、病院などの所在地が「○市△町１−２−３」、病院等の名称が「○△病院」である。
【００３０】
図５は、出力端末３１が出力する医療費の明細書５０１の例を示す図である。図５に示すように、医療費の明細書５０１は、確定申告をする者の住所、及び氏名と、医療費の明細と、を含む。
【００３１】
医療費の明細は、「医療を受けた人」と、「続柄」と、「病院等の所在地」及び「病院等の名称」に対応する「病院・薬局等の所在地・名称」と、「控除の対象となる医療費の内訳」と、生命保険等から補てんされる金額を示す「左のうち生命保険や年金保険などで補てんされる金額」と、計算欄と、を含む。
【００３２】
「控除の対象となる医療費の内訳」は、「治療内容、医薬品名」に対応する「治療内容・医薬品等」と、「支払った医療費、交通費」に対応する「支払った医療費」と、を含む。
【００３３】
計算欄は、支払った医療費の合計を示す「支払った医療費」（Ａ）と、補填される金額の合計を示す「保険金などで補てんされる金額」（Ｂ）と、ＡとＢとの差引額である「差引金額」（Ｃ）と、「所得金額の合計額」（Ｄ）と、Ｄに０．０５を乗じた金額を示す「Ｄ×０．０５」（Ｅ）と、「Ｅと１０万円のいずれか少ない方の金額」（Ｆ）と、ＣからＦを差し引いた金額である「医療費控除金額」（Ｇ）と、を含む。
【００３４】
医療費の明細書５０１の記載事項及びフォーマットは、必要に応じて適宜変更することができる。
【００３５】
次に医療費控除申請支援システムの動作について説明する。病院端末１１は無線タグカード１を読み込むと、認証後、病院サーバ１２の患者ＤＢ１２３Ａを、健康保険の被保険者に関する情報に基づいて検索し、該当する患者ごとの医療費に関する情報を読み出す。
【００３６】
病院端末１１は、読み出した患者ごとの医療費に関する情報をトランザクションファイル１１３Ａに一時的に格納する。トランザクションファイル１１３Ａのデータ構成は医療費ファイルのデータ構成と同様である。
【００３７】
病院端末１１は、トランザクションファイル１１３Ａの内容を、リーダライタ１１Ａを介して無線タグカード１の無線タグの医療費ファイルに、まだ格納されていない情報を追加で格納する。
【００３８】
利用者端末２１は、リーダライタ２１Ａを介して、入出力部から入力された所得金額の合計額を無線タグカード１の無線タグの基本情報ファイルに格納する。
【００３９】
また、利用者端末２１は、リーダライタ２１Ａを介して、入出力部から入力された補填される金額を無線タグカード１の無線タグの医療費ファイルに格納する。
【００４０】
図６は、出力端末３１の動作を示す図である。図６に示すように、ステップ６０１において、出力端末３１は、リーダライタ３１Ａを介して無線タグカード１の医療費ファイルから医療費の明細を読み込む。
【００４１】
出力端末３１はさらに、医療費の明細を「医療を受けた人」ごとに合計する。
【００４２】
この際、出力端末３１は支払った交通費を入出力部から入力してもよい。入力された交通費は、該当する支払年月日の「支払った医療費、交通費」に加算されて出力端末３１の記憶部に格納される。
【００４３】
ステップ６０２において、出力端末３１は、リーダライタ３１Ａを介して無線タグカード１の基本情報ファイルから所得の合計金額等の基本情報を入力する。
【００４４】
なお、出力端末３１は、基本情報ファイルがない場合、又は基本情報ファイルに基本情報が格納されていない場合、入出力部から住所、氏名、所得の合計金額等の基本情報を入力する。
【００４５】
ステップ６０３において、出力端末３１は、「支払った医療費、交通費」の合計金額を算出する。この金額をＡとする。
【００４６】
ステップ６０４において、出力端末３１は、「補填される金額」の合計金額を算出する。この金額をＢとする。
【００４７】
ステップ６０５において、出力端末３１は、ＡからＢを差し引いた金額である差引金額を算出する。この金額をＣとする。
【００４８】
ステップ６０６において、出力端末３１は、所得の合計金額に０．０５を乗じた金額を算出する。この金額をＥとする。
【００４９】
ステップ６０７において、出力端末３１はＥの金額が１０万円を上回るかを判定する。出力端末３１はＥの金額が１０万円を上回ると判定した場合（ステップ６０７のＹｅｓ）はステップ６０８において１０万円をＦとする。出力端末３１はＥの金額が１０万円を上回らないと判定した場合（ステップ６０７のＮｏ）はステップ６０９においてＥの金額をＦとする。
【００５０】
ステップ６１０において、出力端末３１は、ＣからＦを差し引いて医療費控除金額を算出する。
【００５１】
ステップ６１１において、出力端末３１はプリンタ３１Ｂから医療費の明細書３１Ｃを印刷出力する。
【００５２】
なお、生成された医療費の明細書のデータは、別途確定申告書の電子申告に利用することもできる。
【００５３】
以上述べたように、本実施形態の医療費控除申請支援システムは、無線タグを有する無線タグカード１の情報を読み書きするリーダライタ１１Ａを備え、医療費明細を、リーダライタ１１Ａを介して無線タグカード１に格納する病院端末１１と、無線タグを有する無線タグカード１の情報を読み書きするリーダライタ３１Ａを備え、病院端末１１によって格納された医療費明細を無線タグカード１から読み出し、確定申告を行う者についての基本情報を無線タグカード１又は入出力部から入力し、医療を受けた人毎に医療費控除金額を算出して税務署に確定申告書とともに提出する医療費の明細書を出力する出力端末３１と、を備える。
【００５４】
従って、確定申告書の作成に不慣れなものであっても簡易に医療費の明細書を作成することが可能となるという効果がある。
【００５５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１：無線タグカード
１１：病院端末
１２：病院サーバ
２１：利用者端末
３１：出力端末
３１Ａ：リーダライタ
【図１】
2015032138.tif 000003
【図２】
2015032138.tif 000004
【図３】
2015032138.tif 000005
【図４】
2015032138.tif 000006
【図５】
2015032138.tif 000007
【図６】
2015032138.tif 000008